(57)【要約】      （修正有）【課題】数本の白髪もピンポイントに染髪することができ、特に白髪のうち、頭皮に近い生え際部分も容易かつ正確に染髪することができる毛染め用具を提供する。【解決手段】毛染め用具１０は、開口部を有する筒状体Ａと、当該筒状体Ａに挿入された毛染め部Ｂと、筒状体Ａの開口部の周囲に設けられた、複数の櫛歯部Ｃとを有し、毛染部Ｂの先端１１が筒状体の開口部から露出し、複数の櫛歯部Ｃの先端１２が毛染部Ｂの先端近傍に集中している。【選択図】図１
0003226579.tif 000002
【実用新案登録請求の範囲】
【請求項１】
開口部を有する筒状体（Ａ）と、
当該筒状体（Ａ）に挿入された毛染め部（Ｂ）と、
前記筒状体（Ａ）の開口部の周囲に設けられた、複数の櫛歯部（Ｃ）とを有する毛染め用具であって、
前記毛染部（Ｂ）の先端が筒状体の開口部から露出し、前記複数の櫛歯部（Ｃ）の先端が毛染部（Ｂ）の先端近傍に集中していることを特徴とする毛染め用具。
【請求項２】
前記毛染め部（Ｂ）が、半練り状の染髪料から構成されていることを特徴とする請求項１に記載の毛染め用具。
【請求項３】
前記毛染め部（Ｂ）が、液状の染髪料を含むスポンジ部材から構成されていることを特徴とする請求項１に記載の毛染め用具。
【考案の詳細な説明】
【技術分野】
【０００１】
本考案は、毛染め用具に関し、より具体的には、毛染めの対象となる白髪などに毛染めを正確かつ容易にできる毛染め用具に関する。
【背景技術】
【０００２】
毛髪の色は、毛乳頭にある色素細胞により生産されたメラニン色素によるものである。この色素細胞によるメラニン色素生産が抑制されると、色素の供給が滞り、髪の毛（たとえば黒髪）から色素が失われて白髪となると言われている。この色素細胞の活動の抑制原因としては、加齢、ストレスなどが挙げられている。
【０００３】
一般に、白髪の存在により、実年齢よりも外観年齢が高くみられる傾向にある。そのため、特に女性では、白髪発生の予防とともに、生えてしまった白髪に対するヘアケア用具が各種提案されている。
【０００４】
たとえば、特許文献１では、白髪および枝毛切り鋏として、鋏の本体の刃部に所定の切り欠き部を有し、鋏の開き角度が鋭角となっているなどの特徴を有する鋏が開示されている。
【０００５】
特許文献２では、毛抜きに脱着可能なインクカートリッジ付きのフェルトペンを内側上下につけた白髪かくしペンが開示されている（特許請求の範囲、図１など）
【先行技術文献】
【特許文献】
【０００６】
【特許文献１】特開２０１１−１０４１７７号公報
【特許文献２】実登３２０２０８６号公報
【考案の概要】
【考案が解決しようとする課題】
【０００７】
しかしながら、従来の毛染め用具は、多くのまとまった白髪を染めることは容易であるものの、黒髪の中に数本ある白髪をピンポイントで染めるには適していなかった。また、白髪のうち、頭皮に近い生え際部分（例えば、頭皮から５ｍｍ程度の部分）に正確に染髪することは困難であった。このように、従来の毛染め用具には、依然として改善の余地があり、本考案者は、毛染め用具の構造を鋭意検討した結果、毛染め部の先端近傍に櫛歯部の先端を集中させることにより、上記課題を解決することができることを見出した。
【０００８】
すなわち、本考案は、数本の白髪もピンポイントに染髪することができ、特に白髪のうち、頭皮に近い生え際部分（例えば、頭皮から５ｍｍ程度の部分）も容易かつ正確に染髪することができる毛染め用具を提供することを目的とするものである。
【課題を解決するための手段】
【０００９】
本考案に係る毛染め用具は、開口部を有する筒状体（Ａ）と、当該筒状体（Ａ）に挿入された毛染め部（Ｂ）と、  前記筒状体（Ａ）の開口部の周囲に設けられた、複数の櫛歯部（Ｃ）とを有する毛染め用具であって、前記毛染部（Ｂ）の先端が筒状体の開口部から露出し、前記複数の櫛歯部（Ｃ）の先端が毛染部（Ｂ）の先端近傍に集中していることを特徴とする。
【００１０】
本考案に係る毛染め用具において、前記毛染め部（Ｂ）が、半練り状の染髪料から構成されていることが好ましい。
【００１１】
本考案に係る毛染め用具において、前記毛染め部（Ｂ）が、液状の染髪料を含むスポンジ部材から構成されていることが好ましい。
【考案の効果】
【００１２】
本考案に係る毛染め用具は、数本の白髪もピンポイントに染髪することができ、特に白髪のうち、頭皮に近い生え際部分（例えば、頭皮から５ｍｍ程度の部分）も容易かつ正確に染髪することができるという、従来の毛染め用具にはない優位な効果を発揮する。
【図面の簡単な説明】
【００１３】
【図１】本考案に係る毛染め用具の一態様を示すための図である。
【考案を実施するための形態】
【００１４】
以下、本考案に係る毛染め用具について、図面を適宜参照しながら説明する。
本考案に係る毛染め用具は、図１の付番１０に例示されるように、筒状体Ａと毛染め部Ｂと複数の櫛歯部Ｃとを必須構成要件として含み、必要に応じてその他の部材を含むものであってもよい。
【００１５】
図１の付番Ａは、筒状体を示しており、当該筒状体Ａは、少なくとも１つの開口部を有する。また、付番Ｂで示されるように、毛染め部Ｂは、筒状体Ａに挿入されており、当該毛染め部Ｂの先端が筒状体Ａの開口部から露出している。ここで、毛染め部Ｂの先端の露出の程度は、適宜調整できるようになっていてもよい。
【００１６】
たとえば、筒状体Ａの末端（開口部の逆側）から押し出されるように、筒状体Ａの末端を回転させることで、当該毛染め部Ｂの先端が開口部から露出されるようになっていてもよい。
【００１７】
なお、当該毛染め部Ｂは筒状体Ａに固定された状態で挿入されていてもよい。
【００１８】
また、必要に応じて、毛染め部（Ｂ）が着脱可能な状態に筒状体Ａに挿入されていてもよい。
【００１９】
また、毛染め部（Ｂ）は、半練り状の染髪料から構成されてもよいし、あるいは液状の染髪料を含むスポンジ部材（例：ウレタンスポンジ）から構成されているものであってもよい。
【００２０】
なお、染髪料は、通常使用される白髪染め用の染髪料であれば特に限定されないが、たとえば、酸化染料および酸化剤併用するヘアダイ、酸性染料を含むヘアマニキュア、ＨＣ染料、塩基性染料、分散染料など、適宜選択される。また、その染髪料の剤形は、たとえば、液状、乳液状、クリーム状、ゲル状あるいは泡沫状等、通常知られている形態とすることができる。
【００２１】
また、図１の付番Ｃで示されるように、本考案に係る毛染め用具では、複数の櫛歯部が筒状体Ａの開口部の周囲に設けられている。ここで、図１の付番１２は、櫛歯部の先端を示すが、図示されるように、毛染め部Ｂの先端１１の近傍において、櫛歯部Ｃの先端１２が集中している。また、通常、櫛歯部Ｃは、毛染部Ｂに接触しない状態で設けられている。
【００２２】
櫛歯部Ｃの材質は特に限定されず、たとえば、プラスチック、木、天然繊維などが挙げられる。
【００２３】
また、本考案に係る毛染め用具を構成する部材の材質は特に限定されるものではなく、たとえば、プラスチック、金属、木など適宜選択される。
【産業上の利用可能性】
【００２４】
本考案によれば、数本の白髪もピンポイントに染髪することができ、特に白髪のうち、頭皮に近い生え際部分（例えば、頭皮から５ｍｍ程度の部分）も容易かつ正確に染髪することができる毛染め用具を提供することができる。そのため、本考案は美容産業の発達に貢献するものである。
【符号の説明】
【００２５】
１０：本考案に係る毛染め用具
１１：毛染部（Ｂ）の先端
１２：櫛歯部（Ｃ）の先端
Ａ：筒状体
Ｂ：毛染め部
Ｃ：櫛歯部
【図１】
0003226579.tif 000003